(57)【要約】【課題】ＣＧ−ＲＡＭ領域を有効に使用することによって、より多様な表現が可能な表示装置を有する電子装置を提供することを目的とする。【解決手段】文字コードに基づいて文字を表示し、しかも、文字コードに対応して、文字形状が予め決められている固定フォントパターンと、文字形状を任意で変更可能な可変フォントパターンとを表示するキャラクタ表示手段と、上記可変フォントパターンの内容を書き換えるフォントパターン書き換え手段であって、上記電子装置の状態に応じて上記可変フォントパターンの内容を書き換えるフォントパターン書き換え手段とを有する電子装置である。【選択図】　図１
2004029310.tif 000002
【特許請求の範囲】
【請求項１】
電子装置において、
文字コードに基づいて文字を表示し、しかも、文字コードに対応して、文字形状が予め決められている固定フォントパターンと、文字形状を任意で変更可能な可変フォントパターンとを表示するキャラクタ表示手段と；
上記可変フォントパターンの内容を書き換えるフォントパターン書き換え手段であって、上記電子装置の状態に応じて上記可変フォントパターンの内容を書き換えるフォントパターン書き換え手段と；
を有することを特徴とする電子装置。
【請求項２】
電子装置において、
文字コードに基づいて文字を表示し、しかも、文字コードに対応して、文字形状が予め決められている固定フォントパターンと、文字形状を任意で変更可能な可変フォントパターンとを表示するキャラクタ表示手段と；
上記キャラクタ表示手段に表示しようとする文字列中に、上記固定フォントパターンでは表示できない文字が存在するか否かを判断する文字列解析手段と；
上記可変フォントパターンの内容を書き換えるフォントパターン書き換え手段であって、表示しようとする文字列中に上記固定フォントパターンでは表示できない文字が存在することを、上記文字列解析手段が判断した場合、上記可変フォントパターンの内容を書き換えるフォントパターン書き換え手段と；
を有することを特徴とする電子装置。
【発明の詳細な説明】
【０００１】
【発明の属する技術分野】
本発明は、キャラクタ表示手段を有する電子装置に関する。
【０００２】
【従来の技術】
従来の電子装置においてキャラクタ表示する場合、表示する文字列を文字コードで管理し、各文字コードに対応するフォントパターンを表示する。
【０００３】
また、従来のキャラクタ表示装置において、予め決められたフォントパターンを表示する他に、数文字分のＣＧ−ＲＡＭ領域を有し、そのＣＧ−ＲＡＭ領域の各文字に対応する文字コードを指定することによって、ＣＧ−ＲＡＭ領域に書き込まれたフォントパターンを表示することができる。
【０００４】
このようなＣＧ−ＲＡＭ領域を持ったキャラクタ表示装置を、電子装置の一部として用いる場合、電子装置の電源起動時に、ＣＧ−ＲＡＭ領域にフォントパターンデータを書き込み、以後、所定の文字コードを指定することによって、ＣＧ−ＲＡＭ領域のフォントパターンデータを表示する。
【０００５】
【発明が解決しようとする課題】
しかし、上記従来のキャラクタ表示手段において、ＣＧ−ＲＡＭ領域が少ないキャラクタ表示手段を用いる場合、所定の固定フォントパターンとＣＧ−ＲＡＭとだけでは、必要な表現ができない場合がある。
【０００６】
このために、特殊な文字や記号を使用する言語による表示ができず、また、画面上にイラストや模様を表示できないという制限を強いられる。
【０００７】
本発明は、ＣＧ−ＲＡＭ領域を有効に使用することによって、より多様な表現が可能な表示装置を有する電子装置を提供することを目的とする。
【０００８】
【課題を解決するための手段】
本発明は、文字コードに基づいて文字を表示し、しかも、文字コードに対応して、文字形状が予め決められている固定フォントパターンと、文字形状を任意で変更可能な可変フォントパターンとを表示するキャラクタ表示手段と、上記可変フォントパターンの内容を書き換えるフォントパターン書き換え手段であって、上記電子装置の状態に応じて上記可変フォントパターンの内容を書き換えるフォントパターン書き換え手段とを有する電子装置である。
【０００９】
【発明の実施の形態および実施例】
図１は、本発明の第１実施例であるファクシミリ装置ＦＳ１の構成を示すブロック図である。
【００１０】
ファクシミリ装置ＦＳ１は、電子装置の一例であり、読み込み画像を複写するコピー機能と、ＰＣと接続して読み込み画像をＰＣに取り込むスキャン機能とを有する。
【００１１】
ファクシミリ装置ＦＳ１において、ＣＰＵ１は、システム制御部であり、ファクシミリ装置ＦＳ１の全体を制御する。ＲＯＭ２は、ＣＰＵ１の制御プログラムを格納する。ＲＡＭ３は、ＳＲＡＭ等で構成され、プログラム制御変数等を格納し、また、オペレータが登録した送信宛先電話番号などの各種設定値、装置の管理データ類、各種ワーク用バッファをも格納する。
【００１２】
蓄積メモリ４は、ＤＲＡＭ等で構成され、画像データを蓄積するものである。表示部５は、ＬＣＤ等で構成され、ユーザに表示通知する。操作パネル６は、キーボード、タッチパネル等で構成され、オペレータが各種入力操作を行う。スピーカ７は、音声によってオペレータに通知、警告をしたり、ＰＳＴＮ回線１０を通して送受している通信音をモニタしたりする。
【００１３】
ＭＯＤＥＭ（モデム）８は、ファクシミリの送受信信号の変復調を行う。ＮＣＵ９は、選択信号（ダイヤルパルスまたはトーンダイヤラ）を、ＰＳＴＮ回線（アナログ公衆回線網）１０に送出し、呼び出し信号の検出による自動着信動作も行う。画像処理部１１は、読み取られた画像データに補正処理を施して高精細な画像データを生成する。
【００１４】
スキャナ１２は、ＣＳイメージセンサ、原稿搬送機構等で構成され、原稿を光学的に読み取って電気的な画像データに変換する。プリンタフォーマッタ１３は、ＰＣ等、外部機器からのファイルデータのプリントを行う際に、プリンタ記述言語を解析し、画像データに変換する。
【００１５】
プリンタ１４は、受信画像やファイルデータを記録紙に記録する装置である。ＰＣｉ／ｆ１５は、ＰＣ接続回線１６を経由し、ＰＣ（パーソナルコンピュータ）を接続するためのインタフェースである。ＰＣと接続することによって、ＰＣとの間で、画像データ、各種設定データの送受信を行うことができる。
【００１６】
ファクシミリ装置ＦＳ１は、スキャナ１２が読み取った画像をプリンタ１４で印字することによって、単体では画像複写装置として使用することができる。また、ＰＣ接続回線を経由し、ＰＣと接続することによって、ＰＣの周辺機器としての画像読取装置（スキャナ）と画像形成装置（プリンタ）としても使用することが可能である。
【００１７】
図２は、本発明の第１実施例であるファクシミリ装置ＦＳ１における表示部５の内部構成を示すブロック図である。
【００１８】
表示部５は、表示制御部２１と、表示データＲＡＭ２２と、ＣＧ−ＲＯＭ２３と、ＣＧ−ＲＡＭ２４と、ＬＣＤディスプレイ２５とを有する。
【００１９】
表示制御部２１は、表示部５の全体を制御する。表示データＲＡＭ２２は、ＬＣＤディスプレイ２５に表示する４０文字分の文字コードを格納する。各文字を１バイト（８ビット）の文字コードで表現するので、表示データＲＡＭ２２には、４０バイト分の領域がある。
【００２０】
ＣＧ−ＲＯＭ２３は、文字コード情報と、各文字コードに対応する文字の固定ビットマップフォントパターンデータとを格納する。ＣＧ−ＲＯＭ２３内には、約１６０文字分のビットマップフォントパターンデータが予め格納され、表示制御部２１からは、このフォントパターンデータを変更することはできない。
【００２１】
ＣＧ−ＲＡＭ２４は、表示制御部２１によって変更可能なビットマップフォントパターンデータを格納する。ＣＧ−ＲＡＭ２４内には、８文字分のフォントパターンデータを格納することができる。
【００２２】
以下、ＣＧ−ＲＡＭ２４内の１番目から８番目の８文字を、それぞれＣＧ−ＲＡＭ（１）〜ＣＧ−ＲＡＭ（８）と表記する。
【００２３】
ＬＣＤディスプレイ２５は、２０桁×２行（合計４０文字）の文字を表示可能な表示装置である。ＬＣＤディスプレイ２５は、各文字が横５ドット、縦８ドットの表示領域で構成され、各ドットには、それぞれオンとオフとの状態があるモノクロ（２値）ディスプレイである。
【００２４】
表示制御部２１は、表示データＲＡＭ２２内の文字コード情報に基づいて、ＣＧ−ＲＯＭ２３とＣＧ−ＲＡＭ２４とから、ビットマップフォントパターンを抽出し、ＬＣＤディスプレイ２５に文字を表示することができる。
【００２５】
ＣＰＵ１は、表示制御部２１に対し、表示データＲＡＭ２２やＣＧ−ＲＡＭ２４への情報の書き込みや、表示データＲＡＭ２２やＣＧ−ＲＯＭ２３、ＣＧ−ＲＡＭ２４からの情報の読み出し、ＬＣＤディスプレイへの文字表示を、指示することができる。なお、上記実施例において、便宜上「文字」と称するものは、英数字、カタカナ等の他、各種記号、模様パターン等、横５ドット×縦８ドットで表示することができるデータの全てを含パターン等むものである。
【００２６】
図３は、本発明の第１実施例であるファクシミリ装置ＦＳ１において、コピー待機モード時に、表示部５のＬＣＤディスプレイ２５に文字が表示されている例を示す図である。
【００２７】
図４は、ファクシミリ装置ＦＳ１において、ユーザモード時に、表示部５のＬＣＤディスプレイ２５に文字が表示されている例を示す図である。
【００２８】
図５は、ファクシミリ装置ＦＳ１において、表示部５の表示データＲＡＭ２２に格納されているデータを示す模式図である。
【００２９】
表示データＲＡＭ２２には、４０文字分の文字コードを格納可能である。図５に示す例では、４０文字分の格納領域に全て「２０」が格納されている。ここで、「２０」は、１６進数表記の文字コードである。すなわち、ＬＣＤディスプレイ２５に、文字コード「２０」の文字が４０文字表示されているときの表示データＲＡＭ２２の状態である。なお、文字コード「２０」の文字は、スペース（空白文字）に相当するので、ＬＣＤディスプレイ２５は、外見上は、何も表示されていない状態になる。
【００３０】
図６は、ファクシミリ装置ＦＳ１において、表示部５のＣＧ−ＲＯＭ２３に格納されている文字コード情報と固定フォントデータとの内容を示す図である。
【００３１】
図６に示す例では、横軸に書かれた数字が、上位４ビットを示し、縦軸に書かれた数字が、下位４ビットを示している。したがって、たとえば、アルファベットの「Ａ」に相当する文字の文字コードは、「４１」である。図６に示すように、表示部５では、１６進数表記で「００」〜「ＦＦ」の文字を扱うことが可能であり、このうち、「００」〜「０７」は、それぞれＣＧ−ＲＡＭ（１）〜ＣＧ−ＲＡＭ（８）が割り当てられている。
【００３２】
また、固定フォントとして、「２０」〜「７Ｅ」と「Ａ１」〜「ＤＦ」とが定義されている。固定フォントデータのうちで、「２０」は、スペース（空白文字）に相当する。たとえば、表示データＲＡＭ２２に「００」が書き込まれていると、ＬＣＤディスプレイ２５に、ＣＧ−ＲＡＭ（１）の文字が表示され、「４１」が書き込まれていると、アルファベットの「Ａ」に相当する文字が表示される。
【００３３】
なお、図６に示す図において、空欄になっている部分の文字コード（「０８」〜「１Ｆ」、「７Ｆ」〜「９Ｆ」、「Ｅ０」〜「ＦＦ」）が、表示データＲＡＭ２２に書き込まれていると、スペースを表示する。
【００３４】
図７は、ファクシミリ装置ＦＳ１において、表示部５のＣＧ−ＲＡＭ２４のデータ構造を示す模式図である。
【００３５】
図７に示すように、ＣＧ−ＲＡＭ２４には、ＣＧ−ＲＡＭ（１）〜ＣＧ−ＲＡＭ（８）８文字分の領域があり、それぞれ、横５ドット×縦８ドットのフォントデータを格納することができる。各ドットは、２値で表される。図７は、ＣＧ−ＲＡＭ（１）〜ＣＧ−ＲＡＭ（８）が、全てスペースである初期状態を示している。
【００３６】
図８は、全て、ファクシミリ装置ＦＳ１が、コピー待機モードであるときに、ＣＧ−ＲＡＭ２４に格納されているフォントパターンデータの一例を示す模式図である。
【００３７】
データの桝目が黒くなっている部分が、ＬＣＤ上でドットが表示される部分である。
【００３８】
図９は、ファクシミリ装置ＦＳ１がコピー待機モードであるときに、表示データＲＡＭ２２に格納されているフォントパターンデータの一例を示す模式図である。
【００３９】
図９中の値は、１６進数表記の値である。ＣＧ−ＲＡＭ２４が、図８に示す状態であり、表示データＲＡＭ２２が、図９に示す状態であるときに、表示制御部２１は、ＬＣＤディスプレイ２５に、図３に示す画面を表示する。
【００４０】
図１０は、ファクシミリ装置ＦＳ１が、ユーザモードであるときに、ＣＧ−ＲＡＭ２４に格納されているデータの一例を示す模式図である。
【００４１】
図１１は、ファクシミリ装置ＦＳ１が、ユーザモードであるときに、表示データＲＡＭ２２に格納されているデータの一例を示す模式図である。
【００４２】
ＣＧ−ＲＡＭ２４が、図１０に示す状態であり、表示データＲＡＭ２２が、図１１に示す状態であるときに、表示制御部２１は、ＬＣＤディスプレイ２５に、図４に示す画面を表示する。
【００４３】
次に、ファクシミリ装置ＦＳ１の動作について説明する。
【００４４】
図１２は、ファクシミリ装置ＦＳ１の動作を示すフローチャートであり、ＬＣＤディスプレイ２５に表示する場合の動作の一部を示すフローチャートである。
【００４５】
ファクシミリ装置ＦＳ１は、表示モードとして、コピー待機モードとユーザモードとを有している。
【００４６】
まず、Ｓ１１では、表示モードが、コピー待機モードであるか否かを判断する。ここで、コピー待機モードではないと判断すると、Ｓ１２では、ユーザモードであるか否かを判断する。
【００４７】
Ｓ１１で、コピー待機モードであると判断すると、Ｓ１３では、コピー待機モードのＣＧ−ＲＡＭをセットし、また、Ｓ１４では、コピー待機モードの表示データＲＡＭをセットする。すなわち、表示モードが、コピー待機モードであれば、図８に示すフォントパターンデータが、ＣＧ−ＲＡＭ２４に格納され、図９に示す文字コードデータが、表示データＲＡＭ２２に格納される。
【００４８】
Ｓ１２で、ユーザモードではないと判断すると、ファクシミリ装置ＦＳ１の表示モードが、コピー待機モードでもユーザモードでもないので、何も処理をせずに終了する。
【００４９】
Ｓ１２で、ユーザモードであると判断すると、Ｓ１５では、ユーザモードのＣＧ−ＲＡＭをセットし、また、Ｓ１６では、ユーザモードの表示データＲＡＭをセットする。すなわち、ユーザモードであれば、図１０に示すフォントパターンデータを、ＣＧ−ＲＡＭ２４に格納し、図１１に示す文字コードデータを、表示データＲＡＭ２２に格納する。
【００５０】
Ｓ１４またはＳ１６における処理の後に、表示制御部２１は、表示データＲＡＭ２２とＣＧ−ＲＯＭ２３とＣＧ−ＲＡＭ２４とのデータに基づいて、ＬＣＤディスプレイ２５に、文字を表示する（Ｓ１７）。
【００５１】
上記処理によって、表示モードがコピー待機モードであれば、図３に示す画面を、ＬＣＤディスプレイ２５に表示することができ、表示モードがユーザモードであれば、図４に示す画面を、ＬＣＤディスプレイ２５に表示することができる。
【００５２】
なお、上記第１の実施例は、表示モードとして、コピー待機モードとユーザモードとの２つのモードを有するが、ファクスモード、スキャンモード等、他の表示モードを有する場合には、ステップＳ１２で、ユーザモードではないと判断した後に、同様の表示モードを判断し、以下、上記と同様に、各モードに適したＣＧ−ＲＡＭと表示データＲＡＭとに格納すればよい。
【００５３】
次に、本発明の第２実施例であるファクシミリ装置ＦＳ２の動作について説明する。
【００５４】
なお、ファクシミリ装置ＦＳ２の構成は、図１に示すファクシミリ装置ＦＳ１の構成と同様である。
【００５５】
図１３は、本発明の第２実施例であるファクシミリ装置ＦＳ２の動作を示すフローチャートであり、ＬＣＤディスプレイ２５に表示する場合の動作の一部を示すフローチャートである。
【００５６】
第２実施例において、ＲＡＭ３に設けられている４０文字分の記憶領域に格納されているデータを、ＬＣＤディスプレイ２５に表示する場合の動作について、説明する。
【００５７】
ＲＡＭ３に設けられている４０文字分の記憶領域には、ＣＧ−ＲＯＭ２３とは異なる文字コードで、文字列データが格納され、ＣＧ−ＲＯＭ２３に存在しない文字によって構成されている文字列データを、格納することもできる。
【００５８】
第２実施例では、ＣＧ−ＲＯＭ２３に存在しない文字が、ＲＡＭ３に格納されている文字列データに含まれる場合であっても、ＬＣＤディスプレイ２５に表示することができる方法を、以下に示す。
【００５９】
まず、Ｓ２１では、変数Ｎ、変数ＰＯＳに、それぞれ初期値１を代入する。ここで、ＮとＰＯＳとは、ともに自然数の変数であり、Ｎは、ＲＡＭ３に格納されている４０文字分の文字列データの各文字の位置を示す値であり、ＰＯＳは、８文字分のフォントパターンデータを格納できるＣＧ−ＲＡＭ２４の各フォントパターンデータの位置を示す値である。
【００６０】
次に、ＲＡＭ３に格納されている文字列のＮ番目の文字のフォントパターンデータが、ＣＧ−ＲＯＭ２３に格納されているか否かを判断する（Ｓ２２）。ＣＧ−ＲＯＭ２３に、フォントパターンデータが格納されているか否かは、文字コードで判断することができる。
【００６１】
Ｓ２２で、ＣＧ−ＲＯＭ２３にフォントパターンデータが格納されていると判断すると、Ｓ２３では、表示データＲＡＭ２２のＮ文字目の領域に該当する文字の文字コードをセットする。Ｓ２２で、ＣＧ−ＲＯＭ２３にフォントパターンデータが格納されていないと判断すると、Ｓ２４では、ＣＧ−ＲＡＭ２４のＰＯＳ番目に、該当する文字のフォントパターンデータを格納し、Ｓ２５では、表示データＲＡＭ２２のＮ文字目に、ＣＧ−ＲＡＭ（ＰＯＳ）に相当する文字コードをセットする。
【００６２】
Ｓ２２では、ＣＧ−ＲＡＭ（ＰＯＳ）に格納するフォントパターンデータが、ＲＯＭ２に予め格納されている。また、ＲＡＭ３の４０文字分の記憶領域には、ＣＧ−ＲＯＭ２３にフォントパターンデータが存在しない文字が９文字以上含まれることがないように、予め考慮された文字列データが格納されている。
【００６３】
Ｓ２３またはＳ２５の処理の後に、Ｎに１を加え（Ｓ２６）、Ｎが４０を超えているか否かを判断する（Ｓ２７）。Ｎが４０を超えていなければ、ステップＳ２２に戻り、処理を繰り返す。４０という値は、ＲＡＭ３に格納される文字列の文字数を意味する。すなわち、ＲＡＭ３に格納される文字列の各文字について、同様の処理を繰り返す。
【００６４】
Ｓ２７では、Ｎが４０を超えていると判断すると、ＲＡＭ３に格納されている文字列の全ての文字について、処理を終了したことになるので、表示データＲＡＭ２２とＣＧ−ＲＯＭ２３とＣＧ−ＲＡＭ２４とに格納されているデータに基づいて、ＬＣＤディスプレイ２５に文字を表示する（Ｓ２８）。
【００６５】
上記処理によって、ＣＧ−ＲＯＭ２３に格納されている文字が、ＲＡＭ３に格納されている文字列データに含まれる場合であっても、ＬＣＤディスプレイ２５に表示することができる。
【００６６】
たとえば、ＬＣＤディスプレイ２５上に、
【００６７】
【外１】
2004029310.tif 000003
という文字列を表示することが可能になる。この
【００６８】
【外２】
2004029310.tif 000004
は、「記録紙ジャムを取り除いてください」という意味のフィンランド語のメッセージであり、ＣＧ−ＲＯＭ２３に格納されていない文字が、２文字含まれている。
【００６９】
図１４は、ファクシミリ装置ＦＳ２において、表示部５のＬＣＤディスプレイ２５に、
【００７０】
【外３】
2004029310.tif 000005
という文字列を表示する場合、上記処理によってＣＧ−ＲＡＭ２４に格納されているフォントパターンデータを示す模式図である。
【００７１】
図１５は、ファクシミリ装置ＦＳ２において、表示部５のＬＣＤディスプレイ２５に、
【００７２】
【外４】
2004029310.tif 000006
という文字列を表示する場合、上記処理によって、表示データＲＡＭ２２に格納されている文字コードデータを示す模式図である。
【００７３】
図１６は、ファクシミリ装置ＦＳ２における表示部５のＬＣＤディスプレイ２５に、
【００７４】
【外５】
2004029310.tif 000007
という文字列が表示されている状態を示す図である。
【００７５】
なお、図１３のステップＳ２２では、ＲＡＭ３に格納されている文字列のＮ番目の文字のフォントデータが、ＣＧ−ＲＯＭ２３に格納されているか否かを判断するが、この判断に加えて、フォントパターンデータがＣＧ−ＲＡＭ２４に格納されているか否かをも判断し、ＣＧ−ＲＡＭ２４に、フォントパターンデータが既に格納されていれば、該当する文字コードを、表示データＲＡＭ２２にセットすると、ＣＧ−ＲＯＭ２３に存在しない同一の文字が、ＲＡＭ３内の文字列中に、複数含まれる場合に、同じフォントパターンデータがＣＧ−ＲＡＭ２４に二重に格納されることを防ぐことができ、ＣＧ−ＲＡＭを効率よく使用することができる。
【００７６】
図１７、図１８は、ファクシミリ装置ＦＳ２における表示部５のＬＣＤディスプレイ２５に、文字が表示されている状態の一例を示す図である。
【００７７】
第２実施例によれば、ＬＣＤディスプレイ２５に、図１７、図１８に示す表示を行うことができる。また、図３、図４に示す表示を行うこともできる。
【００７８】
なお、ＲＯＭ２やＲＡＭ３に記憶した制御プログラムをＣＰＵ１が実行することによって、第１、２実施例における上記動作が実現されるが、上記制御プログラムをフロッピー（登録商標）ディスク、ハードディスク、ＣＤ−ＲＯＭ、ＤＶＤ−ＲＯＭ、メモリカード等の各種記憶媒体に格納し、これを専用のデータ読取装置が、コンピュータ等の情報処理装置またはファクシミリ装置ＦＳ２内に取り込み、この取り込まれた制御プログラムを、ＣＰＵ１が実行するようにしてもよい。
【００７９】
また、ファクシミリ装置ＦＳ１、ＦＳ２以外のコピー装置、プリンタ装置、スキャナ、電話機、通信装置等の電子装置、または、コンピュータ等の電子装置（情報処理装置）における制御に、上記実施例を適用するようにしてもよい。
【００８０】
【発明の効果】
本発明によれば、キャラクタ表示手段を有する電子装置において、ＣＧ−ＲＡＭ領域を有効に使用することができ、より多様な表現を用いた表示を行うことができ、これによって、イラストを表示し、モードごとに特徴的な表示を行う等、オペレータにとってわかりやすい表示を実現することができるという効果を奏し、また、特殊な文字を使用する言語を、容易に表示することができるという効果を奏する。
【図面の簡単な説明】
【図１】本発明の第１実施例であるファクシミリ装置ＦＳ１の構成を示すブロック図である。
【図２】本発明の第１実施例であるファクシミリ装置ＦＳ１における表示部５の内部構成を示すブロック図である。
【図３】本発明の第１実施例であるファクシミリ装置ＦＳ１において、コピー待機モード時に、表示部５のＬＣＤディスプレイ２５に文字が表示されている例を示す図である。
【図４】ファクシミリ装置ＦＳ１において、ユーザモード時に、表示部５のＬＣＤディスプレイ２５に文字が表示されている例を示す図である。
【図５】ファクシミリ装置ＦＳ１において、表示部５の表示データＲＡＭ２２に格納されているデータを示す模式図である。
【図６】ファクシミリ装置ＦＳ１において、表示部５のＣＧ−ＲＯＭ２３に格納されている文字コード情報と固定フォントデータとの内容を示す図である。
【図７】ファクシミリ装置ＦＳ１において、表示部５のＣＧ−ＲＡＭ２４のデータ構造を示す模式図である。
【図８】全て、ファクシミリ装置ＦＳ１が、コピー待機モードであるときに、ＣＧ−ＲＡＭ２４に格納されているフォントパターンデータの一例を示す模式図である。
【図９】ファクシミリ装置ＦＳ１がコピー待機モードであるときに、表示データＲＡＭ２２に格納されているフォントパターンデータの一例を示す模式図である。
【図１０】ファクシミリ装置ＦＳ１が、ユーザモードであるときに、ＣＧ−ＲＡＭ２４に格納されているデータの一例を示す模式図である。
【図１１】ファクシミリ装置ＦＳ１が、ユーザモードであるときに、表示データＲＡＭ２２に格納されているデータの一例を示す模式図である。
【図１２】ファクシミリ装置ＦＳ１の動作を示すフローチャートであり、ＬＣＤディスプレイ２５に表示する場合の動作の一部を示すフローチャートである。
【図１３】本発明の第２実施例であるファクシミリ装置ＦＳ２の動作を示すフローチャートであり、ＬＣＤディスプレイ２５に表示する場合の動作の一部を示すフローチャートである。
【図１４】ファクシミリ装置ＦＳ２において、表示部５のＬＣＤディスプレイ２５に、
【外６】
2004029310.tif 000008
という文字列を表示する場合、上記処理によってＣＧ−ＲＡＭ２４に格納されているフォントパターンデータを示す模式図である。
【図１５】ファクシミリ装置ＦＳ２において、表示部５のＬＣＤディスプレイ２５に、
【外７】
2004029310.tif 000009
という文字列を表示する場合、上記処理によって、表示データＲＡＭ２２に格納されている文字コードデータを示す模式図である。
【図１６】ファクシミリ装置ＦＳ２における表示部５のＬＣＤディスプレイ２５に、
【外８】
2004029310.tif 000010
という文字列が表示されている状態を示す図である。
【図１７】ファクシミリ装置ＦＳ２における表示部５のＬＣＤディスプレイ２５に、文字が表示されている状態の一例を示す図である。
【図１８】ファクシミリ装置ＦＳ２における表示部５のＬＣＤディスプレイ２５に、文字が表示されている状態の一例を示す図である。
【符号の説明】
ＦＳ１、ＦＳ２…ファクシミリ装置、
１…ＣＰＵ、
２…ＲＯＭ、
３…ＲＡＭ、
４…蓄積メモリ、
５…表示部、
６…操作パネル、
７…スピーカ、
１１…画像処理部。
【図１】
2004029310.tif 000011
【図２】
2004029310.tif 000012
【図３】
2004029310.tif 000013
【図４】
2004029310.tif 000014
【図５】
2004029310.tif 000015
【図６】
2004029310.tif 000016
【図７】
2004029310.tif 000017
【図８】
2004029310.tif 000018
【図９】
2004029310.tif 000019
【図１０】
2004029310.tif 000020
【図１１】
2004029310.tif 000021
【図１２】
2004029310.tif 000022
【図１３】
2004029310.tif 000023
【図１４】
2004029310.tif 000024
【図１５】
2004029310.tif 000025
【図１６】
2004029310.tif 000026
【図１７】
2004029310.tif 000027
【図１８】
2004029310.tif 000028